(57)【要約】【課題】制御パターンでの制御中に当該制御パターンの割付の消去や変更の設定が行える照明制御システムを提供する。【解決手段】照明制御システム１の制御手段７は、所定の制御信号が入力されると、記憶手段４に記憶されている制御パターンを読み出して制御パターンで制御端末器１１を制御し、当該制御端末器１１の動作中に割付設定手段３により前記制御パターンの割付の消去または変更があったときに、当該割付の消去または変更された制御パターンを記憶手段４に設定し、当該設定後の制御パターンで制御端末器１１を制御するとともに、当該制御パターンに割付されなくなった制御端末器１１を判別して当該制御端末器１１に対する前記所定の制御信号による制御を解除するように構成されている。【選択図】図１
2007250422.tif 000002
【特許請求の範囲】
【請求項１】
照明器具の点灯制御を行う制御端末器と；
制御端末器の制御パターンを設定する割付設定手段と；
割付設定手段により設定された前記制御パターンを記憶する記憶手段と；
所定の制御信号が入力されると、記憶手段に記憶されている前記制御パターンを読み出して前記制御パターンで制御端末器を制御し、当該制御端末器の動作中に前記割付設定手段により前記制御パターンの割付の消去または変更があったときに、当該割付の消去または変更された制御パターンを前記記憶手段に設定し、当該設定後の制御パターンで制御端末器を制御するとともに、当該制御パターンに割付されなくなった制御端末器を判別して当該制御端末器に対する前記所定の制御信号による制御を解除するように構成されている制御手段と；
を具備していることを特徴とする照明制御システム。
【請求項２】
制御手段は、前記所定の制御信号による制御中に前記制御パターンに割付されなくなった制御端末器に対して所定の制御信号が入力される直前の制御状態に制御するように構成されていることを特徴とする請求項１記載の照明制御システム。
【発明の詳細な説明】
【技術分野】
【０００１】
本発明は、制御パターンによる照明が行われる照明制御システムに関する。
【背景技術】
【０００２】
複数の照明装置をグループ化して、１つの操作スイッチ、人感センサ装置または光センサ装置などにより一括でオンオフ制御または調光制御するパターン制御が行われている。また、防犯や火災などの保安設備や管理設備等の他のシステムからの外部信号により、グループ化された照明装置を強制的に予め決められた照明状態にすることが行われている。
【０００３】
例えば、伝送線に異常信号を送出する端末器を備え、火災、停電などの異常が発生した時に、端末器から伝送線に送出された異常信号を負荷制御コントローラが検知することにより、特定された負荷機器の制御が迅速に行える負荷制御システムが提案されている（特許文献１参照。）。この従来技術の負荷制御システムは、負荷制御コントローラが強制制御装置を介在させて伝送線を導出していて、前記異常信号を検出すると、メモリ内に格納しているキャンセルデータを強制制御装置に送出するので、特定された負荷機器の強制制御が迅速に行えるというものである。
【特許文献１】特開平７−３１９５１０号公報（第３頁、第１図）
【発明の開示】
【発明が解決しようとする課題】
【０００４】
特許文献１の負荷制御システムによると、例えば光センサ装置やタイムスケジュール制御などからの制御信号によって強制制御が実行されているときに設定器等を用いて制御パターンの負荷機器に対する割付の消去や変更の設定を行うと、当該設定後の制御パターンに割付されなくなった負荷機器が制御パターンでの前記強制制御の対象外となり、制御パターンでの前記強制制御が行われなくなった後も、前記強制制御の状態が継続するという問題があった。これを解除するには、負荷制御コントローラ（負荷制御システム）の電源を再起動させて制御パターンに割付されなくなった負荷機器に対する設定を初期化する必要があった。
【０００５】
負荷制御コントローラの電源を再起動させると、この再起動中、負荷制御コントローラにより制御される全ての負荷機器が使用できなくなるので、使用者への影響が大きく、実際、制御パターンでの前記強制制御中には、制御パターンの割付の消去や変更の設定を行うことは困難であった。
【０００６】
本発明は、制御パターンでの制御中に当該制御パターンの割付の消去や変更の設定が行える照明制御システムを提供することを目的とする。
【課題を解決するための手段】
【０００７】
請求項１に記載の照明制御システムの発明は、照明器具の点灯制御を行う制御端末器と；制御端末器の制御パターンを設定する割付設定手段と；割付設定手段により設定された前記制御パターンを記憶する記憶手段と；所定の制御信号が入力されると、記憶手段に記憶されている前記制御パターンを読み出して前記制御パターンで制御端末器を制御し、当該制御端末器の動作中に前記割付設定手段により前記制御パターンの割付の消去または変更があったときに、当該割付の消去または変更された制御パターンを前記記憶手段に設定し、当該設定後の制御パターンで制御端末器を制御するとともに、当該制御パターンに割付されなくなった制御端末器を判別して当該制御端末器に対する前記所定の制御信号による制御を解除するように構成されている制御手段と；を具備していることを特徴とする。
【０００８】
本発明および以下の発明において、特に言及しない限り、各構成は以下による。
【０００９】
「制御パターン」とは、同時に制御される制御端末器の組合せを意味する。また、制御端末器に対するタイムスケジュールの時間帯とすることもできる。
【００１０】
「所定の制御信号」とは、記憶手段に記憶されている制御パターンで制御端末器を制御させる信号であり、光センサ装置、人感センサ装置や他のシステムなどの外部装置の他、本照明制御システムの例えばタイムスケジュール制御の制御信号なども包含される。
【００１１】
「制御パターンの割付の消去」とは、制御パターンに割付されている制御端末器の全部または一部を削除（除外）することであり、「制御パターンの割付の変更」とは、制御パターンに割付されている制御端末器に他の制御端末器を追加すること、または、前記制御端末器の削除と前記他の制御端末器の追加を同時に行うことである。
【００１２】
制御手段は、制御パターンに割付されなくなった制御端末器に対して、所定の制御信号による制御の解除後も、制御パターンでの制御が行われなくなるまで、当該解除前の制御状態を継続させてもよい。
【００１３】
本発明によれば、制御パターンで制御端末器が制御されているときに、制御パターンの割付の消去または変更が行われると、制御パターンに割付されなくなった制御端末器が判別されて所定の制御信号による制御が解除されるので、当該制御端末器に対して所定の制御信号が入力されなくなって制御パターンで制御端末器が制御されなくなった後も制御が継続されることが防止される。
【００１４】
請求項２に記載の照明制御システムの発明は、請求項１記載の照明制御システムにおいて、制御手段は、前記所定の制御信号による制御中に前記制御パターンに割付されなくなった制御端末器に対して所定の制御信号が入力される直前の制御状態に制御するように構成されていることを特徴とする。
【００１５】
本発明によれば、制御パターンに割付されなくなった制御端末器が所定の制御信号による制御が解除されると、所定の制御信号に応じて、割付の消去または変更された制御パターンの制御端末器のみが制御される。
【発明の効果】
【００１６】
請求項１の発明によれば、所定の制御信号による制御端末器の制御中に、制御パターンに割付されなくなった制御端末器が判別されて所定の制御信号による制御が解除されるので、制御パターンでの制御中に、当該制御パターンの割付の消去または変更された制御パターンを容易に設定することができる。
【００１７】
請求項２の発明によれば、制御パターンに割付されなくなった制御端末器が所定の制御信号が入力される直前の制御状態に制御されるので、照明器具の点灯状態を視認することにより、制御パターンの割付の消去または変更された制御パターンを確認することができる。
【発明を実施するための最良の形態】
【００１８】
以下、本発明の一実施の形態について、図面を参照して説明する。まず、本発明の第１の実施形態について説明する。
【００１９】
図１は、本発明の第１の実施形態を示す照明制御システムのブロック図である。照明制御システム１は、主制御装置２、割付設定手段としてのフリーアドレス設定器３、記憶手段としての不揮発性の記憶部４、所定の制御信号を出力する光センサ装置５およびタイムスケジュール装置６、制御手段としての主制御部７などを有して構成されている。
【００２０】
主制御装置２は、不揮発性の記憶部４、主制御部７および伝送インターフェース（Ｉ／Ｆ）部８を有してなり、伝送線（２線伝送信号線）９を介して光センサ装置５、タイムスケジュール装置６、監視端末器１０および制御端末器１１を接続している。
【００２１】
伝送Ｉ／Ｆ部８は、監視端末器１０の壁スイッチ１２，１３から送出された点灯信号および消灯信号の制御信号、光センサ装置５およびタイムスケジュール装置６からそれぞれ出力された制御信号などが伝送線９を介して入力され、これらの信号を主制御部７に入力させるとともに、主制御部７で演算処理された後述の照明負荷１６を点灯または消灯あるいは調光させる制御信号を伝送線９に出力するように構成されている。
【００２２】
監視端末器１０は、壁スイッチ１２および壁スイッチ１３を有して構成され、それぞれの壁スイッチ１２，１３から照明負荷１６を点灯させる点灯信号または消灯させる消灯信号の制御信号を伝送線９に出力する。
【００２３】
そして、制御端末器１１は、制御用ターミナルユニット（Ｔ／Ｕ）１４および照明器具１５を有して構成されている。制御用Ｔ／Ｕ１４には、複数の照明器具１５が接続されている。そして、それぞれの照明器具１５に、照明負荷１６が配設されている。照明負荷１６は、例えば蛍光ランプである。制御用Ｔ／Ｕ１４は、伝送線９を介して主制御装置２から照明負荷１６を点灯または消灯あるいは調光させる制御信号が入力される。そして、照明電源を入力して駆動するとともに、照明負荷１６を点灯させる制御信号が入力されると、照明器具１５に照明電源を供給して照明負荷１６を点灯させるように構成されている。また、照明負荷１６を消灯させる制御信号が入力されると、照明器具１６への照明電源を遮断して照明負荷１６を消灯させ、照明負荷１６を調光させる制御信号が入力されると、照明負荷１６の電力を調節して調光させるように構成されている。このように、制御端末器１１は、照明器具１５の点灯状態を制御する。
【００２４】
なお、監視端末器１０および制御端末器１１は、図中、それぞれ１つが伝送線９に接続されているが、それぞれ複数が伝送線９に接続されている。
【００２５】
フリーアドレス設定器３は、監視端末器１０または制御端末器１１などに接続して、制御端末器１１のアドレスを割り付けることにより、制御端末器１１の制御パターンの割付を設定する。この制御パターンの割付データは、伝送線９を介して主制御装置２に伝送され、不揮発性の記憶部４に記憶される。また、フリーアドレス設定器３は、上記設定の他に、光センサ装置５、タイムスケジュール装置６、監視端末器１０の壁スイッチ１２，１３および制御端末器１１の制御用Ｔ／Ｕ１４などのそれぞれアドレスを設定し、主制御部７による制御が対応付けられるようにしている。
【００２６】
なお、フリーアドレス設定器３は、割付設定手段を構成している。割付設定手段は、フリーアドレス設定器３の他、広義的に言えば、不揮発性の記憶部４および主制御装置２の主制御部７も包含される。
【００２７】
不揮発性の記憶部４は、主制御装置２内に設けられ、上述したように、制御パターンの割付や光センサ装置５、監視端末器１０などのアドレス等、各種データを記憶している。
【００２８】
光センサ装置５は、光センサ１７、光センサ制御装置１８および接点入力ターミルナルユニット（Ｔ／Ｕ）１９を有して構成されている。光センサ１７は、照明器具１５（照明負荷１６）により照明される照明領域の明るさを検出する。そして、光センサ制御装置１８は、光センサ１７が所定レベル以上の明るさを検出したときに消灯信号の制御信号を出力し、光センサ１７が所定レベルを下回る明るさを検出したときに点灯信号の制御信号を出力する。そして、接点入力Ｔ／Ｕ１９は、当該制御信号を伝送線９に出力するように構成されている。ここで、点灯信号の制御信号または消灯信号の制御信号は、照明器具１５を点灯させるか消灯させるかの目的により、どちらか一方が所定の制御信号となる。なお、光センサ制御装置１８は、交流電源を入力して駆動し、接点入力Ｔ／Ｕ１９は、リモコントランス２０より直流電源が入力されて駆動する。
【００２９】
タイムスケジュール装置６は、接点入力ターミナルユニット(Ｔ／Ｕ)２１、タイマ部２２および図示しない記憶部を有して構成されている。記憶部には、照明負荷１６を点灯させる時刻および消灯させる時刻が記憶されている。タイマ部２２は、計時し、照明負荷１６を点灯させる時刻または消灯させる時刻になると、タイム検出信号を接点入力Ｔ／Ｕ２１に送出する。接点入力Ｔ／Ｕ２１は、タイム検出信号に応じて照明負荷１６を不揮発性の記憶部４に記憶されている制御パターンで点灯または消灯させる制御信号を伝送線９に出力するように構成されている。当該点灯または消灯させる制御信号は、照明器具１５を点灯させるか消灯させるかの目的により、どちらか一方が所定の制御信号となる。なお、接点入力Ｔ／Ｕ２１は、リモコントランス２３より直流電源が入力されて駆動する。また、記憶部に記憶されている照明負荷１６を制御パターンで点灯させる時刻または消灯させる時刻は、例えばフリーアドレス設定器３を用いて予め設定されている。
【００３０】
主制御部７は、主制御装置２内に設けられていて、ＣＰＵ、ＲＡＭおよびプログラムが格納されたＲＯＭなどを有して構成されており、プログラムに基づいて動作する。そして、主制御部７は、監視端末器１０の壁スイッチ１２，１３、光センサ装置５またはタイムスケジュール装置６から点灯信号(消灯信号)が入力されると、制御端末器１１の制御用Ｔ／Ｕ１４に照明負荷１６を点灯(消灯)させる制御信号を送出する。制御用Ｔ／Ｕ１４は、当該制御信号に応じて照明負荷１６を点灯(消灯)させる。
【００３１】
光センサ装置５またはタイムスケジュール装置６から出力された点灯信号または消灯信号の制御信号は、それぞれ制御端末器１１（照明負荷１６）を不揮発性の記憶部４に記憶されている制御パターンで制御させる所定の制御信号である。主制御部７は、光センサ装置５（タイムスケジュール装置６）から点灯信号の制御信号が出力されると、不揮発性の記憶部４から光センサ装置５（タイムスケジュール装置６）に対応する制御パターンの割付データを読み出して、当該割付データに基づいて制御端末器１１を制御する。これにより、照明負荷１６は、当該制御パターンで点灯する。そして、光センサ装置５（タイムスケジュール装置６）から消灯信号の制御信号が出力されると、照明負荷１６が消灯されるように制御端末器１１を制御する。
【００３２】
そして、主制御部７は、光センサ装置５（タイムスケジュール装置６）から出力された所定の制御信号に応じて制御端末器１１（照明負荷１６）を制御パターンで制御しているときには、当該制御パターンに割付された制御端末器１１に対応する壁スイッチ１２，１３（監視端末器１０）からの点灯信号または消灯信号の制御信号を無効化するように構成されている。すなわち、光センサ装置５（タイムスケジュール装置６）から出力された所定の制御信号に応じて、制御パターンで照明負荷１６が強制的に点灯または消灯されているときに、当該制御パターンに対応する壁スイッチ１２，１３をオンオフ操作しても、照明負荷１６を点消灯させることはできない。
【００３３】
そして、制御パターンでの制御中に、例えばフリーアドレス設定器３により、当該制御パターンに割付された制御端末器１１の割付の消去または当該制御パターンに割付される制御端末器１１の変更が行われると、主制御部７は、当該割付の消去または変更があった時点で、当該消去または変更後の制御パターンの割付データを不揮発性の記憶部４に記憶（設定）させて、制御端末器１１の割付の消去または変更の設定を実行するように構成されている。すなわち、制御パターンでの制御中に、すなわち制御パターンの制御端末器１１の動作中に、当該制御パターンの消去または変更が行える。このとき、主制御部１７は、制御パターンでの制御（強制制御）を継続してもよく、変更後の制御パターンで制御端末器１１を強制制御してもよい。
【００３４】
そして、主制御部７は、制御パターンに割付されなくなった制御端末器１１を判別する判別手段（図示しない。）を備えている。そして、前記制御パターンの割付の消去または変更後に、制御パターンに割付されなくなった制御端末器１１を判別して、判別した制御端末器１１に対して光センサ装置５またはタイムスケジュール装置６からの所定の制御信号に応じた制御を解除するように構成されている。
【００３５】
当該解除により、制御パターンに割付されなくなった制御端末器１１は、所定の制御信号が入力される直前の制御状態に制御され、照明器具１５の照明負荷１６は、例えば点灯状態から消灯される。また、当該解除により、制御パターンに割付されなくなった制御端末器１１に対応する壁スイッチ１２，１３から照明負荷１６を点消灯させることができる。
【００３６】
上述したように、本発明の照明制御システム１は、光センサ装置５またはタイムスケジュール装置６からの所定の制御信号に応じた制御端末器１１の制御パターンでの動作中に、当該制御パターンに割付された制御端末器１１の割付の消去または当該制御パターンに割付される制御端末器１１の変更が行われたときに、当該割付の消去または変更による新たな制御パターンの設定が自動的に行われる。
【００３７】
そして、制御パターンに割付されなくなった制御端末器１１に対して、光センサ装置５またはタイムスケジュール装置６からの所定の制御信号に応じた制御が解除されるので、主制御装置２に光センサ装置５またはタイムスケジュール装置６からの所定の制御信号が入力されなくなった後に、所定の制御信号に応じた制御が継続されることを防止できる。これにより、制御パターンの割付の消去または変更による新たな制御パターンの設定に対して、主制御装置２（照明制御システム１）の電源を再起動させることが要しないので、所定の制御信号に応じた制御端末器１１の動作中に、割付の消去または変更による新たな制御パターンの設定を支障なく行うことができる。
【００３８】
次に、本発明の第２の実施形態について述べる。
【００３９】
図２は、本発明の第２の実施形態を示す照明制御システムのブロック図である。なお、図１と同一部分には同一符号を付して説明は省略する。
【００４０】
図２に示す照明制御システム２４は、主制御装置２、制御端末器１１、監視端末器としての壁スイッチ１３および入力装置２５を有して構成されている。
【００４１】
入力装置２５は、リレー接点からなる入力部２６および強制パターン制御用接点入力ターミナルユニット（Ｔ／Ｕ）２７を有して構成されている。入力部２５には、他のシステムからの外部信号が入力される。この外部信号は、例えば警備会社の防犯設備からの防犯信号、火災報知設備からの火災報知信号または管理室からの管理信号などである。強制パターン制御用接点入力Ｔ／Ｕ２７は、入力部２６に他のシステムからの外部信号が入力されると、所定の制御信号例えば所定幅のパルス信号を伝送線９に出力する。この制御信号は、伝送線９および伝送Ｉ／Ｆ部８を介して主制御装置２の主制御部７に入力される。なお、強制パターン制御用接点入力Ｔ／Ｕ２７は、リモコントランス２８から直流電源が供給されて駆動する。
【００４２】
そして、主制御部７は、入力装置２５から所定の制御信号が入力されると、不揮発性の記憶部４に記憶されている制御パターンで制御端末器１１を制御する。この制御中に、当該制御パターンに割付された制御端末器１１の割付の消去または変更が行われると、主制御部７は、当該割付の消去または変更があったときに、当該消去または変更後の制御パターンの割付データを不揮発性の記憶部４に記憶させて、制御端末器１１の割付の消去または変更の設定を実行する。
【００４３】
こうして、制御パターンでの制御中に、当該制御パターンに割付されている制御端末器１１の割付の消去または変更の設定が自動的に行える。また、制御パターンに割付されなくなった制御端末器１１は、所定の制御信号による制御から解除される。したがって、前記制御パターンの設定のために、入力装置２５から所定の制御信号が入力されなくなるまで待機する必要がなくなり、また、主制御装置２（照明制御システム１）の電源を再起動させることを要しなくすることができて、当該設定の煩わしさを解消することができる。
【図面の簡単な説明】
【００４４】
【図１】本発明の第１の実施形態を示す照明制御システムのブロック図。
【図２】本発明の第２の実施形態を示す照明制御システムのブロック図。
【符号の説明】
【００４５】
１， ２４…照明制御システム
２…主制御装置
３…割付設定手段としてのフリーアドレス設定器
４…記憶手段としての不揮発性の記憶部
５…光センサ装置
６…タイムスケジュール装置
７…制御手段としての主制御部
２５…入力装置
【図１】
2007250422.tif 000003
【図２】
2007250422.tif 000004